(57)【要約】【課題】  浴室用の軟水装置の使いやすさを向上させる。【解決手段】  浴室２の湯水混合栓４と浴槽５への吐水部１７とをイオン交換樹脂を充填した樹脂収容部１４を介して接続し、前記樹脂収容部１４の上流側または下流側のいずれか一方に採水バルブ１９を設けた軟水装置１であって、予め設定された原水の所定量が前記樹脂収容部１４を通過後、採水開始時に開成された前記採水バルブ１９を閉成するバルブ制御機構２０を備える。【選択図】  図１
2007260518.tif 000002
【特許請求の範囲】
【請求項１】
浴室の湯水混合栓と浴槽への吐水部とをイオン交換樹脂を充填した樹脂収容部を介して接続し、この樹脂収容部の上流側または下流側のいずれか一方に採水バルブを設けた軟水装置であって、
予め設定された原水の所定量が前記樹脂収容部を通過後、採水開始時に開成された前記採水バルブを閉成するバルブ制御機構を備えたことを特徴とする軟水装置。
【請求項２】
前記樹脂収容部の下流側に切替バルブを設け、
この切替バルブとシャワーヘッドとを接続したことを特徴とする請求項１に記載の軟水装置。
【請求項３】
前記バルブ制御機構は、採水量を原水または軟水の流れによる羽根車の回転によって計量する採水量計量部と、
前記羽根車の回転力によって前記採水バルブを閉成するカム機構部と、
前記羽根車の回転力を減速するとともに、前記カム機構部へ伝達するギア機構部とを備えることを特徴とする請求項１または請求項２に記載の軟水装置。
【発明の詳細な説明】
【技術分野】
【０００１】
この発明は、浴室用の軟水装置に関し、とくに浴槽への湯張り機能を備えた軟水装置に関する。
【背景技術】
【０００２】
水道水や地下水などの原水に含まれる硬度分（カルシウムイオンおよびマグネシウムイオン）をイオン交換樹脂を用いてナトリウムイオンやカリウムイオンへ置換する軟水装置は、様々な分野で利用されている。日本国内における原水は、通常、炭酸塩類を多く含んでおり、原水中の硬度分を前記軟水装置を使用してナトリウムイオンへ置換すると、炭酸ナトリウムや炭酸水素ナトリウムを含む軟水が得られる。この軟水は、保湿力や保温力が高く、温泉と同様の入浴感が得られること、また入浴によってアレルギー性疾患（たとえば、アトピー性皮膚炎）の治癒に効能を示す事例があることから、近年では、とくに浴室用の軟水装置が注目を集めている。
【０００３】
さて、集合住宅および一戸建て住宅の多くには、入浴用の湯を生成するために、給湯器や温水器が設置されている。これらの住宅では、通常、生成された湯を湯水混合栓を介して浴室内へ供給する。そして、使用者は、前記湯水混合栓の蛇口部から吐出された湯を浴槽に貯留し，あるいは前記湯水混合栓と接続されたシャワーヘッドから吐出された湯を利用している。
【０００４】
浴室用の前記軟水装置は、たとえば特許文献１に開示されているように、イオン交換樹脂を充填した樹脂収容部に原水ラインおよび軟水ラインを接続した構成となっている。前記軟水装置を浴室に設置する場合、既設の前記湯水混合栓をそのまま利用する観点から、まず前記湯水混合栓から前記シャワーヘッドをホースごと取り外す。つぎに、前記湯水混合栓と前記樹脂収容部とを前記原水ラインで接続する。そして、取り外した前記ホースを前記軟水ラインとして前記樹脂収容部と接続する。すなわち、前記樹脂収容部を前記湯水混合栓と前記シャワーヘッドとの間に介設するように施工する。
【０００５】
【特許文献１】特開２０００−４２５４３号公報
【発明の開示】
【発明が解決しようとする課題】
【０００６】
ところで、前記のように施工された前記軟水装置では、前記シャワーヘッドから吐出される湯水のみが軟水化されるようになっている。前記浴槽に軟水を貯留する場合、前記シャワーヘッドを介して吐水を行っているが、前記シャワーヘッドからの吐出流量は、ヘッド部の圧力損失のために、前記蛇口部からの吐出流量よりも少なく、非常に時間がかかっている。また、使用者が止水を忘れてしまい、前記浴槽から軟水を溢れさせると、前記イオン交換樹脂の能力を無駄に消費するので、前記浴槽の貯留状態には、常に気を使う必要もある。このため、従来の前記軟水装置は、施工が容易である反面、非常に使いにくいものとなっていた。
【０００７】
この発明は、前記の事情に鑑みてなされたもので、その解決しようとする課題は、浴室用の軟水装置の使いやすさを向上させることである。
【課題を解決するための手段】
【０００８】
この発明は、前記課題を解決するためになされたもので、請求項１に記載の発明は、浴室の湯水混合栓と浴槽への吐水部とをイオン交換樹脂を充填した樹脂収容部を介して接続
し、この樹脂収容部の上流側または下流側のいずれか一方に採水バルブを設けた軟水装置であって、予め設定された原水の所定量が前記樹脂収容部を通過後、採水開始時に開成された前記採水バルブを閉成するバルブ制御機構を備えたことを特徴としている。
【０００９】
請求項１に記載の発明によれば、前記採水バルブが開成されると、前記混合栓からの湯水は、原水として前記樹脂収容部へ供給される。一方、前記樹脂収容部からの湯水は、軟水となって前記吐水部から前記浴槽へ吐出される。そして、予め設定された原水の所定量が前記樹脂収容部を通過すると、前記バルブ制御機構によって前記採水バルブが閉成される。したがって、軟水化された湯水の所定量を前記浴槽に貯留したのち、自動で止水することができる。
【００１０】
請求項２に記載の発明は、請求項１において、前記樹脂収容部の下流側に切替バルブを設け、この切替バルブとシャワーヘッドとを接続したことを特徴としている。
【００１１】
請求項２に記載の発明によれば、前記切替バルブを操作し、前記樹脂収容部と前記吐水部とを連通させると、軟水化された湯水が前記浴槽へ吐出される。一方、前記切替バルブを操作し、前記樹脂収容部と前記シャワーヘッドとを連通させると、軟水化された湯水が前記シャワーヘッドから吐出される。したがって、使用者の目的に応じて、前記浴槽への湯張りとシャワーの利用とを任意に切り替えることができる。
【００１２】
さらに、請求項３に記載の発明は、請求項１または請求項２において、前記バルブ制御機構は、採水量を原水または軟水の流れによる羽根車の回転によって計量する採水量計量部と、前記羽根車の回転力によって前記採水バルブを閉成するカム機構部と、前記羽根車の回転力を減速するとともに、前記カム機構部へ伝達するギア機構部とを備えることを特徴としている。
【００１３】
請求項３に記載の発明によれば、軟水の採水量は、前記採水量計量部において、前記羽根車の回転数に応じて計量される。前記羽根車の回転力は、前記ギア機構部で減速されながら前記カム機構部へ伝達され、カムの作動によって前記採水バルブが閉成される。したがって、水流のエネルギーを利用して、前記採水バルブを機械的，かつ無電力で駆動することができる。
【発明の効果】
【００１４】
この発明によれば、浴室用の軟水装置の使いやすさを向上させることができる。この結果、使用者がストレスを感じることなく、軟水による入浴を楽しむことができる。
【発明を実施するための最良の形態】
【００１５】
（第一実施形態）
以下、この発明の第一実施形態を図面に基づいて詳細に説明する。図１は、この第一実施形態に係る軟水装置が設置された浴室の全体構成図を示している。
【００１６】
図１において、軟水装置１は、浴室２内の壁面３などに設けられた湯水混合栓４と接続されており、前記軟水装置１からの軟水を浴槽５へ供給するように構成されている。前記湯水混合栓４は、バス用の吐水とシャワー用の吐水とを切替可能に構成されたタイプであって、湯用バルブ６，水用バルブ７，三方バルブ８および蛇口部９を有している。前記湯水混合栓４は、通常、既設のものがそのまま利用される。
【００１７】
前記湯水混合栓４において、前記湯用バルブ６は、給湯器や温水器などの熱機器（図示省略）と給湯ライン１０で接続されている。一方、水用バルブ７は、前記熱機器の上流側と給水ライン１１で接続されている。また、前記湯用バルブ６および前記水用バルブ７は
、両者の下流側に配置された前記三方バルブ８と湯水混合ライン１２で接続されている。さらに、前記三方バルブ８は、前記蛇口部９と湯水供給ライン１３で接続されている。
【００１８】
さて、前記軟水装置１は、樹脂収容部１４と、定量止水装置１５と、切替バルブ１６と、吐水部１７とを主に備えている。前記樹脂収容部１４内には、原水として供給される湯水を軟水化するため、イオン交換樹脂（図示省略）が充填されている。ここにおいて、前記樹脂収容部１４は、前記軟水装置１を使用していない深夜などに、前記イオン交換樹脂の再生を行うため、塩水供給装置および流路制御バルブ装置（ぞれぞれ図示省略）を接続した構成とすることができる。この場合、前記軟水装置１の再生作動は、たとえば塩水供給工程，塩水押出工程および洗浄工程の順で実施される。
【００１９】
前記樹脂収容部１４の原水入口側は、前記三方バルブ８と原水ライン１８で接続されており、この原水ライン１８には、前記定量止水装置１５が設けられている。前記定量止水装置１５は、採水バルブ１９とバルブ制御機構２０とから構成されている。すなわち、第一実施形態では、前記採水バルブ１９は、前記樹脂収容部１４の上流側に設けられている。また、前記バルブ制御機構２０は、採水量計量部２１と、カム機構部２２と、ギア機構部２３とを備えている。前記定量止水装置１５の詳細については、後述する。
【００２０】
前記樹脂収容部１４の軟水出口側は、前記吐水部１７と軟水ライン２４で接続されており、この軟水ライン２４には、三方型の前記切替バルブ１６が設けられている。また、前記切替バルブ１６は、シャワーヘッド２５とシャワーホース２６で接続されている。すなわち、第一実施形態では、前記切替バルブ１６の操作により、前記吐水部１７への軟水の供給と前記シャワーヘッド２５への軟水の供給とを選択可能に構成されている。そして、前記吐水部１７からは、前記浴槽５へ軟水が吐水されるようになっている。
【００２１】
つぎに、図２および図３を参照し、前記定量止水装置１５について詳細に説明する。図２は、前記定量止水装置１５の縦断面図であり、また図３は、図２のIII−III線断面図である。
【００２２】
前記定量止水装置１５は、前記採水バルブ１９および前記バルブ制御機構２０がハウジング２７に内蔵されており、このハウジング２７には、一次側流路２８と二次側流路２９とが形成されている。前記採水バルブ１９は、前記各流路２８，２９の連通部に形成された弁座３０と、この弁座３０に対応して前記一次側流路２８内に配置された弁体３１とを備えている。また、前記バルブ制御機構２０は、羽根車３２を有する採水量計量部２１と、カム３３を有するカム機構部２２と、減速ギアトレイン３４を有するギア機構部２３とを備えている。そして、前記二次側流路２９内には、上流側から順に前記カム３３および前記羽根車３２が配置されている。
【００２３】
前記一次側流路２８には、前記弁座３０に相対して開口部３５が設けられており、この開口部３５には、筒状の蓋部材３６が装着されている。この蓋部材３６の内周面には、前記弁体３１がピストン状に嵌合されている。この結果、前記採水バルブ１９の背面側には、前記弁体３１および前記蓋部材３６により、前記一次側流路２８から隔離された圧力室３７が形成されている。
【００２４】
前記圧力室３７は、前記弁体３１に穿設した連通孔３８（図３参照）を介して前記一次側流路２８と常時連通するとともに、前記弁体３１に設けたリリーフ弁３９を介して前記二次側流路２９と連通可能になっている。具体的には、前記弁体３１の中央部には、前記圧力室３７と前記二次側流路２９とを連通させるように、前記リリーフ弁３９の弁孔４０が軸方向に穿設されている。前記圧力室３７内には、前記弁孔４０を開閉するリリーフ弁体４１が配置されており、このリリーフ弁体４１は、前記弁孔４０の周囲に形成されたリ
リーフ弁座４２と当接するように、スプリング４３によって付勢されている。
【００２５】
前記リリーフ弁体４１は、前面側に弁軸４４を有している。この弁軸４４は、前記弁孔４０を挿通し、さらに前記弁体３１の前面側に突設された筒状ガイド４５内を摺動自在に挿通して、前記二次側流路２９内へ延びている。前記弁軸４４の外周面には、軸方向にほぼ先端付近まで延びる溝部４６が設けられている。また、この溝部４６の下端部よりもやや上方の位置には、外径が前記筒状ガイド４５の内径よりも大径に設定された掛止リング４７が装着されている。そして、前記リリーフ弁体４１は、前記弁軸４４の先端部において、前記カム３３と連係している。
【００２６】
前記カム３３は、図３に示すように、円状のカムフェース４８の一部に切欠部４９を設け、この切欠部４９の底辺５０と前記カムフェース４８とを曲面部５１で連続させた形状に形成されている。前記カム３３は、前記採水バルブ１９の直下において、前記二次側流路２９内に回転自在に掛け渡されたカム軸５２に固着され、前記リリーフ弁３９が閉状態のとき、前記弁軸４４と前記切欠部４９とが係合するように配置されている。
【００２７】
前記カム軸５２の一端側は、相互に噛合する第一歯車５３および第二歯車５４を介してハンドル軸５５と連動可能に連絡されている。このハンドル軸５５は、前記ハウジング２７の外部へ延びており、その先端部に採水量設定ハンドル５６が結合されている。この採水量設定ハンドル５６には、採水量設定目盛（図示省略）が設けられており、前記ハウジング２７には、前記採水量目盛に対応する指標５７が設けられている。
【００２８】
一方、前記カム軸５２の他端側は、前記減速ギアトレイン３４の最終歯車５８と摩擦的に連動可能に連結されている。具体的には、前記最終歯車５８は、座金５９と皿状の板バネ６０とで両面を挟んだ状態にて、前記座金５９を先頭にしてその中心部が前記カム軸５２に刺し通されている。前記座金５９は、前記カム軸５２に設けた段差部（符号省略）に掛止されており、また前記カム軸５２の端部には、止めネジ６１がねじ込まれている。そして、前記最終歯車５８は、前記止めネジ６１の頭部と前記板バネ６０との間に介在させた押さえ部材６２により、外側から押圧することによって、前記カム軸５２に取り付けられている。この取付状態においては、前記座金５９，前記カム軸５２および前記板バネ６０には、相互に係合する係合部（図示省略）を設け、前記座金５９および前記板バネ６０が前記カム軸５２に対して回転不能に構成する。一方、前記最終歯車５８と前記カム軸５２との間には、前記係合部を設けず、前記最終歯車５８が前記カム軸５２に対して回転可能に構成する。
【００２９】
前記減速ギアトレイン３４の先頭歯車６３は、羽根車軸６４に設けたピニオンギア６５と噛合している。前記羽根車軸６４は、前記カム３３の下流側において、前記二次側流路２９内に回転自在に掛け渡されており、前記羽根車軸６４には、前記羽根車３２が取り付けられている。前記羽根車３２は、多数の羽根板６６，６６，…を有しており、前記二次側流路２９内を流れる水が前記各羽根板６６に当たることによって、前記羽根車３２が連続的に回転するように構成されている。
【００３０】
以下、第一実施形態に係る前記軟水装置１の使用方法と作用について、詳細に説明する。前記軟水装置１が設置された前記浴室２内においては、通常、使用者が軟水をいつでも利用できるように、前記湯水混合ライン１２と前記原水ライン１８とが連通するように、前記三方弁８が設定されている。
【００３１】
まず、前記軟水装置１を使用して、前記浴槽５に湯張りまたは水張りを行う場合について説明する。前記浴槽５へ軟水を供給する場合、使用者は、前記切替バルブ１６を操作し、前記樹脂収容部１４と前記吐水部１７とが前記軟水ライン２４を介して連通するように
設定する。そして、前記湯用バルブ６および前記水用バルブ７を開いたのち、前記採水バルブ１９を開成して所定量の軟水を採水する。ここにおいて、前記浴槽５へ供給される軟水の温度調節は、前記湯用バルブ６および前記水用バルブ７の開度をそれぞれ調節することによって行う。
【００３２】
前記採水バルブ１９を開成するには、前記採水量設定ハンドル５６を回し、前記ハンドル軸５５および前記カム軸５２を介して前記カム３３を図３の時計回りへ回転させる。すると、前記カムフェース４８によって前記弁軸４４が上方へ押し上げられ、前記リリーフ弁３９が開弁される。そして、前記弁軸４４の上昇にともない、前記掛止リング４７によって前記筒状ガイド４５を介して前記弁体３１が上方へ押し上げられ、前記採水バルブ１９が開成される。
【００３３】
前記リリーフ弁３９が開弁すると、前記圧力室３７内の水が前記弁孔４０を通じて前記二次側流路２９内へ排出される。このとき、前記二次側流路２９は、前記吐出部１７を介して外気と連通しているため、前記圧力室３７内の圧力は、大気圧に等しくなる。したがって、前記リリーフ弁３９の開弁後は、前記弁軸４４は、前記スプリング４３の弾発力のみによって前記カム３３へ押し付けられることになり、前記弁軸４４は、容易に上方へ移動する。同時に、前記弁体３１に作用する閉弁方向の圧力も解除されるため、前記弁体３１は、前記掛止リング４７を介して容易に押し上げられ、前記採水バルブ１９が全開する。
【００３４】
さて、前記採水バルブ１９が開成されると、前記湯水混合ライン１２を流れる湯水は、原水として、前記原水ライン１８を介して前記樹脂収容部１４へ供給される。前記樹脂収容部１４内へ流入した原水は、前記イオン交換樹脂（図示省略）の充填層を通過する過程で硬度分がナトリウムイオンやカリウムイオンへ置換され、軟水化される。そして、前記樹脂収容部１４からの軟水は、前記軟水ライン２４および前記吐出部１７を介して前記浴槽５内へ吐出され、連続的に貯留される。
【００３５】
また、前記採水バルブ１９の開成後は、前記二次側流路２９を流れる原水により、前記羽根車３２が図３の反時計回りへ回転し、採水量が計量される。前記羽根車３２の回転力は、前記減速ギアトレイン３４を介して減速されながら前記カム３３へ伝達され、前記カム３３は、自動的に回転を継続する。この状態では、前記圧力室３７内へは、前記連通孔３８を介して原水が微少流量で流入するが、この原水は、前記リリーフ弁３９から前記二次側流路２９内へ流出する。このため、前記カム３３が一回転し、前記弁軸４４が前記切欠部４９へ落ち込んで前記リリーフ弁３９が閉弁するまで、前記採水バルブ１９の開成状態が継続される。すなわち、前記弁軸４４が前記切欠部４９へ落ち込むと、前記リリーフ弁３９は、前記スプリング４３の弾発力によって直ちに閉弁する。同時に、前記弁体３１は、前記スプリング４３の弾発力と前記一次側流路２８内の圧力によって下降し、前記弁座３０と当接して前記採水バルブ１９が閉成される。そして、前記採水バルブ１９が閉成され、前記二次側流路２９への原水の流れが遮断されると、前記羽根車３２の回転が停止するため、前記カム３３の回転も直ちに停止する。
【００３６】
ここにおいて、軟水の採水量，換言すれば前記採水バルブ１９が閉成するまでに、前記樹脂収容部１４を通過する原水の所定量は、前記採水量設定ハンドル５６の操作による前記カム３３の回転角度の設定で決定される。すなわち、前記採水量設定ハンドル５６により、前記カム３３を図３の時計回りへ回転して所要の角度に設定すると、前記採水バルブ１９が開成され、原水の流れによって前記羽根車３２が回転する。そして、前記羽根車３２の回転力により、前記カム３３が一回転して前記切欠部４９が再び前記弁軸４４に対向すると、前記採水バルブ１９が閉成される。このため、前記採水量設定ハンドル５６によって前記カム３３の回転角度を大きく設定したときは、前記羽根車３２の回転力によって
前記切欠部４９が前記弁軸４４に対向するまでの回転角度が小さくなり、前記記樹脂収容部１４を通過する原水の所定量が少なくなる。逆に、前記採水量設定ハンドル５６によって前記カム３３の回転角度を小さく設定したときは、前記羽根車３２の回転力によって前記切欠部４９が前記弁軸４４に対向するまでの回転角度が大きくなり、前記樹脂収容部１４を通過する原水の所定量が多くなる。いずれにしても、使用者が設定した採水量に達すると、前記採水バルブ１９が自動的に閉成されるので、止水のタイミングに気を使う必要がない。また、前記浴槽５から軟水を溢れさせることもないので、前記イオン交換樹脂の能力を無駄に消費することがなくなる。
【００３７】
つぎに、前記軟水装置１を使用して、シャワーを利用する場合について説明する。前記シャワーヘッド２５へ軟水を供給する場合、使用者は、前記切替バルブ１６を操作し、前記樹脂収容部１４と前記シャワーヘッド２５とが前記軟水ライン２４および前記シャワーホース２６を介して連通するように設定する。そして、前記湯用バルブ６および前記水用バルブ７を開いたのち、前記採水バルブ１９を開成して軟水を吐水させる。ここにおいて、前記シャワーヘッド２５から吐水される軟水の温度調節は、前記湯用バルブ６および前記水用バルブ７の開度をそれぞれ調節することによって行う。
【００３８】
前記採水バルブ１９を開成して軟水を吐水させるには、前記浴槽５に湯張りまたは水張りを行う場合と同様に、前記採水量設定ハンドル５６の操作により、前記カム３３を図３の時計回りへ回転して所要の角度に設定する。このとき、前記カム３３の回転角度が大きいと、短時間で前記採水バルブ１９が閉成されてしまうので、前記採水量設定ハンドル５６に設けられた採水量設定目盛（図示省略）に基づいて、シャワーの利用に適した回転角度に設定する。
【００３９】
さて、前記採水バルブ１９が開成されると、前記湯水混合ライン１２を流れる湯水は、原水として、前記原水ライン１８を介して前記樹脂収容部１４へ供給される。前記樹脂収容部１４内へ流入した原水は、前記イオン交換樹脂（図示省略）の充填層を通過する過程で硬度分がナトリウムイオンやカリウムイオンへ置換され、軟水化される。そして、前記樹脂収容部１４からの軟水は、前記軟水ライン２４および前記シャワーホース２６を介して前記シャワーヘッド２５から連続的に吐出される。このとき、前記定量止水装置１５では、原水の流れによって前記羽根車３２が回転する。そして、前記羽根車３２の回転力により、前記カム３３が一回転して前記切欠部４９が再び前記弁軸４４に対向するまで、前記採水バルブ１９の開成状態が継続される。
【００４０】
シャワーの利用を終え、軟水の吐水を停止させるときには、再び前記採水量設定ハンドル５６の操作により、前記カム３３を図３の時計回りへ回転させる。そして、前記弁軸４４が前記切欠部４９へ落ち込む位置まで戻すと、前記採水バルブ１９が閉成される。
【００４１】
以上の第一実施形態によれば、軟水化された湯水の所定量を浴槽に貯留したのち、自動で止水し、また浴槽への湯張りとシャワーの利用とを任意に切替可能な構成であるため、浴室用の軟水装置の使いやすさを向上させることができる。この結果、使用者がストレスを感じることなく、軟水による入浴を楽しむことができる。
【００４２】
（第二実施形態）
前記第一実施形態では、前記定量止水装置１５は、前記原水ライン１８に設けるように構成しているが、図４に示すように、前記樹脂収容部１４と前記切替バルブ１６の間の前記軟水ライン２４に設けるように構成することもできる。図４において、前記第一実施形態と同一の符号は、同一の部材を示しているため、その詳細な説明は省略する。また、第二実施形態に係る前記軟水装置１の使用方法と作用は、前記第一実施形態と同様である。
【００４３】
（第三実施形態）
前記第一実施形態では、前記定量止水装置１５は、前記原水ライン１８に設けるように構成しているが、図５に示すように、前記採水バルブ１９を前記原水ライン１８に設け、前記採水量計量部２１を前記軟水ライン２４に設けるように構成することもできる。図５において、前記第一実施形態と同一の符号は、同一の部材を示しているため、その詳細な説明は省略する。また、第三実施形態に係る前記軟水装置１の使用方法と作用は、前記第一実施形態と同様である。
【００４４】
（第四実施形態）
つぎに、この発明の第四実施形態を図面に基づいて詳細に説明する。図６は、第四実施形態に係る軟水装置が設置された浴室の全体構成図を示している。図６において、前記第一実施形態と同一の符号は、同一の部材を示しており、その詳細な説明は省略する。
【００４５】
第四実施形態において、前記軟水ライン２４は、下流側で第一軟水ライン６７と第二軟水６８ラインとに分岐している。前記第一軟水ライン６７は、前記吐水部１７と接続されており、前記第一軟水ライン６７には、前記定量止水装置１５が設けられている。一方、前記第二軟水ライン６８は、二方型の前記切替バルブ１６の第一ポート側（符号省略）と接続されている。そして、前記切替バルブ１６の第二ポート側（符号省略）は、前記シャワーヘッド２５と前記シャワーホース２６で接続されている。
【００４６】
さて、前記第一実施形態，前記第二実施形態および前記第三実施形態では、前記浴槽５への湯張りとシャワーの利用とを選択的に切り替えるようになっている。一方、第四実施形態では、前記浴槽５への湯張りとシャワーの利用とを選択的に切り替えることもできるし、両者を同時に行うこともできるようになっている。具体的には、前記湯用バルブ６および前記水用バルブ７を開いた状態において、前記採水量設定ハンドル５６を操作すると、前記第一実施形態で説明したように、前記採水バルブ１９が開成され、前記吐水部１７から前記浴槽５へ軟水が吐水される。そして、原水の所定量が前記樹脂収容部１４を通過すると、前記採水バルブ１９が閉成される。
【００４７】
ここにおいて、前記浴槽５へ軟水を貯留中に、前記切替バルブ１６を開状態にすると、前記シャワーヘッド２５からも軟水が吐水される。もちろん、前記採水バルブ１９が閉成状態のとき、前記切替バルブ１６を開状態にすれば、前記シャワーヘッド２５からは、軟水が吐水される。したがって、第四実施形態では、前記浴槽５への湯張り中か否かに関わらず、使用者がシャワーを利用することができるようになり、前記軟水装置１の使いやすさが大幅に向上する。
【００４８】
（他の実施形態）
前記各実施形態では、前記カム機構部２２によって前記採水バルブ１９を開閉しているが、カム機構に代えて他の機構，たとえばリンク機構を利用することもできる。また、前記採水バルブ１９は、リリーフ弁型である必要はなく、たとえばボール状の弁体を弁座と当接させることによって閉弁し、またカム機構やリンク機構と連動する押出ピンで前記弁体を前記弁座から離反させることによって開弁する構成であってもよい。
【図面の簡単な説明】
【００４９】
【図１】第一実施形態に係る軟水装置が設置された浴室の全体構成図。
【図２】定量止水装置の縦断面図。
【図３】図２のIII−III線断面図。
【図４】第二実施形態に係る軟水装置が設置された浴室の全体構成図。
【図５】第三実施形態に係る軟水装置が設置された浴室の全体構成図。
【図６】第四実施形態に係る軟水装置が設置された浴室の全体構成図。
【符号の説明】
【００５０】
１  軟水装置
２  浴室
４  湯水混合栓
５  浴槽
１６  切替バルブ
１７  吐水部
１９  採水バルブ
２０  バルブ制御機構
２１  採水量計量部
２２  カム機構部
２３  ギア機構部
２５  シャワーヘッド
３２  羽根車
【図１】
2007260518.tif 000003
【図２】
2007260518.tif 000004
【図３】
2007260518.tif 000005
【図４】
2007260518.tif 000006
【図５】
2007260518.tif 000007
【図６】
2007260518.tif 000008